(57)【要約】【課題】放熱性を向上させて温度を下げる。【解決手段】両端間のオンオフを切り替えて交流電源から照明負荷への電源供給のオンオフを切り替えるトライアック２は、放熱板３を取り付けた状態でボディ１０の角部に収納されている。この放熱板３は、例えばアルミニウムなど熱伝導率の高い材料で形成されたものであり、トライアック２の放熱面（背面）に面接触する接触部３０と、トライアック２から離れる方向に接触部３０の両端から折曲されて延設された先端部３１，３１とからなる。各先端部３１には、接触部３０側の基端から先端方向に沿った縁部から内側方向に延設部３２が延設されている。【選択図】図１
2009081207.tif 000002
【特許請求の範囲】
【請求項１】
発熱部品と、
前記発熱部品の放熱面に面接触する接触部と、
前記発熱部品の放熱面からの放熱範囲に含まれるように前記接触部の両端から延設された１対の放熱部と
を備えることを特徴とする発熱部品の放熱構造。
【請求項２】
前記各放熱部が前記器体の角部を挟んで当該器体の側面に沿って収納され、
前記発熱部品が前記器体の角部と前記接触部との間に収納される
ことを特徴とする請求項１記載の発熱部品の放熱構造。
【請求項３】
前記放熱部と前記接触部とでなす角度は１３５°であることを特徴とする請求項２記載の発熱部品の放熱構造。
【請求項４】
前記発熱部品はトライアックであり、
前記トライアックを制御する制御部品と離隔して前記器体に収納される
ことを特徴とする請求項１乃至３のいずれか１項に記載の発熱部品の放熱構造。
【請求項５】
前記接触部に重ねて設けられ厚みを増すための放熱補助部を備えることを特徴とする請求項１乃至４のいずれか１項に記載の発熱部品の放熱構造。
【発明の詳細な説明】
【技術分野】
【０００１】
本発明は、発熱部品で発生した熱を放熱する発熱部品の放熱構造に関するものである。
【背景技術】
【０００２】
従来、例えば負荷への電源供給のオンオフを制御するスイッチなどには、上記オンオフを切り替えるためにトライアックが設けられている。このトライアックは駆動中に発熱する発熱部品であり、内部で発生した熱はある特定部分（放熱面）から放射状に出ている（図２（ａ）参照）。したがって、図９に示すように、トライアック２の放熱面には、トライアック２の内部で発生した熱を放熱するための放熱板６が取り付けられている。従来の放熱板６は、金属板をＬ字状に折り曲げられたものであり、左面部でトライアック２の放熱面と面接触している（例えば特許文献１など）。
【特許文献１】特許第３９５６５８５号公報（段落００４５及び図１２）
【発明の開示】
【発明が解決しようとする課題】
【０００３】
しかしながら、従来の放熱板６では、トライアック２からの熱が放熱面から放射状に出ているにも関わらず、その放熱方向には、図９に示すように、一部（トライアックの放熱面と面接触する部分６０）しか存在していないため、放熱性が低く温度を十分に下げることができないという問題があった。
【０００４】
本発明は上記の点に鑑みて為されたものであり、その目的は、放熱性を向上させて温度を下げることができる発熱部品の放熱構造を提供することにある。
【課題を解決するための手段】
【０００５】
請求項１の発明は、発熱部品と、前記発熱部品の放熱面に面接触する接触部と、前記発熱部品の放熱面からの放熱範囲に含まれるように前記接触部の両端から延設された１対の放熱部とを備えることを特徴とする。
【０００６】
請求項２の発明は、請求項１の発明において、前記各放熱部が前記器体の角部を挟んで当該器体の側面に沿って収納され、前記発熱部品が前記器体の角部と前記接触部との間に収納されることを特徴とする。
【０００７】
請求項３の発明は、請求項２の発明において、前記放熱部と前記接触部とでなす角度は１３５°であることを特徴とする。
【０００８】
請求項４の発明は、請求項１乃至３のいずれか１項の発明において、前記発熱部品はトライアックであり、前記トライアックを制御する制御部品と離隔して前記器体に収納されることを特徴とする。
【０００９】
請求項５の発明は、請求項１乃至４のいずれか１項の発明において、前記接触部に重ねて設けられ厚みを増すための放熱補助部を備えることを特徴とする。
【発明の効果】
【００１０】
請求項１の発明によれば、放熱部を発熱部品の放熱方向に設け、発熱部品の放熱面から放射状に出る熱を放熱させることによって、放熱性を向上させて温度を下げることができる。
【００１１】
請求項２の発明によれば、放熱部が器体の側面に沿って収納され、発熱部品が器体内部の角部と接触部との間に収納されることによって、器体内部の中央付近に収納される場合に比べて、他の部品などの影響を受けることなく、放熱部の大きさを器体の側面に沿って最大にすることができる。
【００１２】
請求項３の発明によれば、器体内部の角部及び側面に近づけて設けることができるので、器体内部の空間利用効率を高めることができる。
【００１３】
請求項４の発明によれば、制御部品と離隔して器体に収納されることによって、制御部品において発熱部品及び放熱部から放射された熱による輻射熱を低減することができるので、制御部品として高温用のものを用いる必要がない。
【００１４】
請求項５の発明によれば、発熱部品の放熱面の法線方向において、厚みが増すため、放熱性をさらに向上させて温度をさらに下げることができる。
【発明を実施するための最良の形態】
【００１５】
（実施形態１）
まず、実施形態１のスイッチについて図１〜５を用いて説明する。このスイッチは、図１に示すスイッチ本体１と、スイッチ本体１に枢着されるピアノハンドル（図示せず）とを備えている。
【００１６】
スイッチ本体１は、図２に示すように縦長の略直方体状に形成されたものであり、図１に示すように、ボディ１０と、ボディ１０に組み立てられるカバー１１と、ボディ１０及びカバー１１に収納された回路ブロック１２とを備えている。
【００１７】
ボディ１０の背面１００には、電源線及び負荷線を内部の接続端子（図示せず）に接続するための複数の電線挿通孔１０１，１０１，…が形成されている。
【００１８】
一方、カバー１１の前面１１０には、上下方向における中間部の右側寄りの部位に、周囲にスリットを形成することで前面１１０に片持ち支持され、その自由端で押釦スイッチ（図示せず）を押駆動する撓み片１１１が形成されている。また、カバー１１の前面１１０には、上下方向における中央部の左側に発光ダイオード（図示せず）の発光面を外部に臨ませる丸孔１１２が形成されており、この丸孔１１２の下側に形成された開口１１３を通して受光素子（図示せず）の受光面が外部に露出している。さらに、カバー１１の前面１１０には、上下方向における中央部の左端に、横向となった軸部１１４，１１４が間隔を開けて２つ突設してあり、これらの軸部１１４，１１４は、上部が横向きの略円柱形状をしている。カバー１１の前面１１０には、上下両側部に横長の透孔がそれぞれ形成され、これらの透孔内に一端部が前面１１０に片持ち支持された矩形板状の弾性ばね片１１５，１１５が形成されており、各弾性ばね片１１５の自由端側は前方に突出して、ピアノハンドル（図示せず）の裏面の上下にそれぞれ当接し、ピアノハンドルを前方に押圧している。
【００１９】
続いて、回路ブロック１２について説明する。回路ブロック１２のプリント配線板１２０には、図３に示すように、トライアック２や、トライアック２を制御する電解コンデンサ１３０，１３０、トランジスタ１３１、コイル１３２などの電子部品（制御部品）１３が実装されている。
【００２０】
トライアック２は、図４（ａ）に示すように、３つの端子２１〜２３が下面２０に設けられ、端子２３に入力されるベース電流に応じて端子２１と端子２２の間のオンオフを切り替えて交流電源から負荷への電源供給のオンオフを切り替えるものである。端子２２は、端子２１，２３からなるべく離れるようにフォーミングされている。これにより、端子間（端子２１と端子２２の間及び端子２２と端子２３の間）の絶縁距離を長くすることができる（例えば絶縁距離が１．７９ｍｍから６．１７ｍｍと長くすることができる）。
【００２１】
このような機能を有するトライアック２は駆動中に発熱するため、内部で発生した熱を外部に放熱させる必要がある。一般的に、トライアックは、内部で発生した熱を全ての面から均一に放熱させるのではなく、ある特定部分から放熱させるようにし、その特定部分に放熱板を設けるようにしている。したがって、本実施形態のトライアック２は、図５（ａ）に示すように、内部で発生した熱を主に背面から放射状に放熱するように形成され、背面には、図５（ｂ）に示すように、放熱板３が取り付けられる。
【００２２】
放熱板３は、例えばアルミニウムなど熱伝導率の高い材料で形成されたものであり、トライアック２の放熱面（背面）に面接触する接触部３０と、接触部３０の両端から、トライアック２から離れる方向つまりトライアック２の背面からの放熱範囲に含まれるように折曲されて延設された先端部（放熱部）３１，３１とからなる。接触部３０の下端には、トライアック２の端子２２を通すための切り欠き３００が設けられている。各先端部３１には、接触部３０側の基端から先端方向に沿った縁部から内側方向に延設部３２が延設されている。
【００２３】
本実施形態では、先端部３１はボディ１０の側面に沿って収納され、トライアック２がボディ１０内部の角部と接触部３０との間に収納される。
【００２４】
ここで、トライアック２からの熱の大部分は、背面の法線Ａから左右それぞれ角度６０°の範囲内（図５（ａ）の範囲Ｂ）に放射されるため、放熱板３の先端部３１は上記範囲Ｂに含まれるほうが効率よく放熱することができる。したがって、放熱板３において接触部３０と各先端部３１とでなす角度θはそれぞれ１５０°以下であることが望ましい。その中でも、ボディ１０への収納の点から、接触部３０と各先端部３１とでなす角度θは１３５°であることがさらに望ましい。
【００２５】
トライアック２は、角度θが１３５°である放熱板３と面接触した状態でボディ１０内部の角部に収納されている（図５参照）。
【００２６】
以上、本実施形態によれば、放熱板３の先端部３１をトライアック２から離れる方向に折曲することによって、トライアック２の背面（放熱面）から放射状に出る熱の放熱方向に放熱板３の先端部３１を近づけることができるので、効率よく熱伝導させることができ、放熱性を向上させて温度を下げることができる。つまり、先端部３１をトライアック２の放熱方向に設け、トライアック２の放熱面から放射状に出る熱を放熱させることによって、放熱性を向上させて温度を下げることができる。
【００２７】
また、先端部３１がボディ１０の側面に沿って収納され、トライアック２がボディ１０内部の角部と接触部３０との間に収納されることによって、ボディ内部の中央付近に収納される場合に比べて、他の部品などの影響を受けることなく、放熱板３の先端部３１をボディ１０の側面に沿って最大にすることができる。
【００２８】
特に、先端部３１と接触部３０とでなす角度は１３５°であるため、ボディ１０内部の角部及び側面により近づけて設けることができるので、ボディ１０内部の空間利用効率を高めることができる。
【００２９】
なお、実施形態１の変形例として、トライアック２の端子２１〜２３が一列に並べて設けられている構成であってもよい。このような構成によれば、放熱板３において端子２２のための切り欠き３００（図４（ａ）参照）を設ける必要がないので、実施形態１よりも、上記切り欠き３００の分だけ放熱板３を大きくすることができ、放熱効果を高めることができる。
【００３０】
（実施形態２）
ところで、実施形態１のスイッチにおいて、トライアック２で発生した熱を放熱板３によって放熱させているため、放熱板３が高温になり、その結果、ボディ１０に収納されている他の電子部品１３も輻射熱によって高温になる場合がある（図３参照）。
【００３１】
そこで、実施形態２のスイッチは、図６に示すように、回路ブロック１２ａにおいて、トライアック２を除く他の電子部品１３が放熱板３から離隔してボディ１０に収納される点で、実施形態１のスイッチ（図３参照）と相違している。なお、実施形態１と同様の構成要素については、同一の符号を付して説明を省略する。
【００３２】
本実施形態では、ボディ１０内において、電子部品１３を放熱板３からできる限り遠ざけて実装する。
【００３３】
以上、本実施形態によれば、電子部品１３が放熱板３から離隔してボディ１０に収納されることによって、電子部品１３においてトライアック２及び放熱板３から放射された熱による輻射熱を低減することができ、電子部品１３の温度上昇を抑えることができるので、電子部品１３として高温用のものを用いる必要がない。
【００３４】
（実施形態３）
実施形態３のスイッチは、図７に示すように、放熱板３の接触部３０に設けられた第２の放熱板（放熱補助部）４を備える点で、実施形態１のスイッチ（図５（ｂ）参照）と相違している。なお、実施形態１と同様の構成要素については、同一の符号を付して説明を省略する。
【００３５】
第２の放熱板４は、接触部３０に重ねて設けられ厚みを増すためのものである。
【００３６】
以上、本実施形態によれば、放熱板３と第２の放熱板４を重ねることによって、放熱部材（放熱板３及び第２の放熱板４）の厚みがトライアック２の放熱方向に厚くなるため、放熱性をさらに向上させて温度をさらに下げることができる。
【００３７】
（参考例）
実施形態１〜３の参考例として、図８に示すように、放熱部５がアルミダイキャスト製のボディと一体に設けられたスイッチがある。つまり、このスイッチでは、トライアック２からの熱をボディで行う。なお、実施形態１〜３と同様の構成要素については、同一の符号を付して説明を省略する。
【００３８】
以上、参考例によれば、ボディと一体になったアルミダイキャスト製の放熱部５を用いることで、外気に触れているボディ（放熱部５）に伝わった熱が外気により冷やされるので、放熱性をより向上させて温度をより下げることができる。
【図面の簡単な説明】
【００３９】
【図１】実施形態１のスイッチの分解斜視図である。
【図２】同上のスイッチにおいてトライアックからの放熱を説明するための図である。
【図３】同上のスイッチの外観図である。
【図４】同上のスイッチの放熱板の下面図である。
【図５】同上のスイッチの回路ブロックを示す図である。
【図６】実施形態２のスイッチの回路ブロックを示す図である。
【図７】実施形態３のスイッチの放熱板の外観図である。
【図８】実施形態１〜３の参考例に係るスイッチの放熱板の外観図である。
【図９】従来のスイッチの放熱板の外観図である。
【符号の説明】
【００４０】
１  スイッチ本体
１０  ボディ
１１  カバー
１３  電子部品
２  トライアック
３  放熱板
３０  接触部
３１  先端部
３２  延設部
４  第２の放熱板
【図１】
2009081207.tif 000003
【図２】
2009081207.tif 000004
【図３】
2009081207.tif 000005
【図４】
2009081207.tif 000006
【図５】
2009081207.tif 000007
【図６】
2009081207.tif 000008
【図７】
2009081207.tif 000009
【図８】
2009081207.tif 000010
【図９】
2009081207.tif 000011